(57)【要約】【課題】掛止フック自体に立体的な装飾が施され、かつ、その装飾と掛止フックの機能が一体的となる、興趣性が高く、表示力の高い掛止フックを提供する。【解決手段】被掛止物ＤＬを掛止する掛止フック部２２と、前記掛止フック部２２の上方に設けられ回転して前記掛止フック部２２を閉塞する回転閉塞体３０とを備え、前記掛止フック部２２を、下顎と上顎とを有する生物又はキャラクターの下顎を模して形成すると共に、前記回転閉塞体３０を前記上顎を含む生物又はキャラクターの頭部を模して形成し、前記下顎と前記上顎との開閉口動作を前記掛止フック部２２と前記回転閉塞体３０の開閉動作に模して形成する。【選択図】  図1
2020085114.tif 000002
【特許請求の範囲】
【請求項１】
被掛止物を掛止する掛止フック部と、前記掛止フック部の上方に設けられ回転して前記掛止フック部を閉塞する回転閉塞体とを備え、前記掛止フック部を、下顎と上顎とを有する生物又はキャラクターの下顎を模して形成すると共に、前記回転閉塞体を前記上顎を含む生物又はキャラクターの頭部を模して形成し、前記下顎と前記上顎との開閉口動作を前記掛止フック部と前記回転閉塞体の開閉動作に模して形成してなることを特徴とする掛止フック。
【請求項２】
前記掛止フック部の先端を上方に湾曲させ形成される被掛止物の抜止部と、前記抜止部の後方近傍に前記掛止フック部の両側から内方に向けて凹まして設けられる被掛止物を保持する保持部を設けてなることを特徴とする請求項１に記載の掛止フック。
【請求項３】
壁面又はポール等の繋留対象部材に固定するための取付部を備えることを特徴とする請求項１又は請求項２に記載の掛止フック。
【請求項４】
前記掛止フックは愛玩動物を繋留するための繋留用掛止フックであって、前記生物又はキャラクターは犬であり、被掛止物は犬のリードであることを特徴とする請求項１乃至請求項３の何れか一に記載の掛止フック。
【発明の詳細な説明】
【技術分野】
【０００１】
本発明は、例えば、愛玩犬を繋留するために使用する愛玩動物用リードを繋留するのに好適な掛止フックに関する。
【背景技術】
【０００２】
従来、家の玄関先や散歩の途中で店舗等に立ち寄った際等に、一時的に愛玩犬を繋留しておく繋留具としては、例えば、実用新案登録第３０８９４６１号（特許文献１）に記載のような愛玩動物用繋留ポールが公知である。かかる愛玩動物用繋留ポールにあっては、前記ポールの先端部分に犬のキャラクターをマスコットとして取り付けており、また、繋留している愛玩犬用リードを容易に取り外しできないように、繋留用の掛止フック金具として、一般的な掛止フック金具を使用している。
【０００３】
また、実用新案登録第３１２６４４３号（特許文献２）に記載の愛玩動物用繋留金具は、鉤状の掛止フック本体と前記掛止フック本体の開口部を回転自在に閉塞する留め金とを備え、前記留め金は前記掛止フック本体の先端部に外方に向けて付勢した状態で係止されると共に、前記留め金の先端部は前記掛止フック本体の内方に向けて湾曲する被掛合部材取り外しガイド部を形成しており、また、愛玩動物用繋留ポールにとりつけて、前記掛止フック金具の基台の形状を犬のキャラクターの形状としている。
【０００４】
【特許文献１】実用新案登録第３０８９４６１号公報
【特許文献２】実用新案登録第３１２６４４３号公報
【発明の概要】
【発明が解決しようとする課題】
【０００５】
しかしながら、前記の如き構成からなる特許文献１に記載の愛玩動物用繋留ポールにおいては、前記ポールの先端部分に犬のキャラクターをマスコットとして取り付けることにより、前記ポールが愛玩動物（犬）用の繋留ポールであることを表示しているが、前記ポールの先端部において掛止フックとは別体に表示体を取り付けており、表示力も高いものとはいえず、また、装飾体としては一般的で興趣性の高いものということはできない。
【０００６】
また、特許文献２に記載の掛止フック金具は、前記掛止フック金具の基台の形状を犬のキャラクターの形状として、前記掛止フック金具が犬の繋留用金具であることを表示しているが、キャラクターの形状が平面的であるため、表示力が必ずしも高くない。
【０００７】
本発明は、かかる事情に鑑みてなされたものであって、掛止フック自体に立体的な装飾が施され、かつ、その装飾と掛止フックの機能が一体的となる、興趣性が高く、表示力の高い掛止フックを提供することを目的とする。
【０００８】
また、本発明の他の目的は、被掛止物を確実に掛止することのできる掛止フックをを提供することを目的とする。
【０００９】
また、本発明の他の目的は、愛玩犬を繋留するために使用する愛玩動物用リードを繋留するために使用する掛止フックにおいて、その表示力を高めることのできる掛止フックをを提供することを目的とする。
【課題を解決するための手段】
【００１０】
請求項１に記載の掛止フックは、被掛止物を掛止する掛止フック部と、前記掛止フック部の上方に設けられ回転して前記掛止フック部を閉塞する回転閉塞体とを備え、前記掛止フック部を、下顎と上顎とを有する生物又はキャラクターの下顎を模して形成すると共に、前記回転閉塞体を前記上顎を含む生物又はキャラクターの頭部を模して形成し、前記下顎と前記上顎との開閉口動作を前記掛止フック部と前記回転閉塞体の開閉動作に模して形成してなることを特徴とする。
【００１１】
請求項１に記載の掛止フックにあっては、前記掛止フック自体に立体的な生物又はキャラクターの頭部の装飾が施され、かつ、その生物又はキャラクターの頭部の上顎と下顎を開閉して物を噛み合うという動作と、前記掛止フックの開閉動作が一体的となり、興趣性が高く、表示力の高いものとなる。
【００１２】
請求項２に記載の掛止フックは、請求項１に記載の掛止フックにおいて、前記掛止フック部の先端を上方に湾曲させ形成される被掛止物の抜止部と、前記抜止部の後方近傍に前記掛止フック部の両側から内方に向けて凹まして設けられる被掛止物を保持する保持部を設けてなることを特徴とする。
【００１３】
請求項２に記載の掛止フックにあっては、前記保持部の凹みに被掛止物が入り込むと共に、前記抜止部により、被掛止物が前方に抜けることがなく、被掛止物が前方に引っ張られても、水平移動が阻止される。また、被掛止物は前記掛止フック部の両側に入り込んで保持されているので、前記掛止フックの閉鎖状態においても、前記被掛止物が前記回転閉塞体と抵触することなく、上顎と下顎とが噛み合うような状態で、前記回転閉塞体が前記掛止フック部を覆うように閉鎖でき、被掛止物を確実に保持することができる。
【００１４】
請求項３に記載の掛止フックは、請求項１又は請求項２に記載の掛止フックにおいて、壁面又はポール等の掛止対象部材に固定するための取付部を備えることを特徴とする。
【００１５】
請求項３に記載の掛止フックにあっては、前記掛止フックを壁面又はポール等に容易に取り付けることができる。
【００１６】
請求項４に記載の掛止フックは、請求項１乃至請求項３の何れか一に記載の掛止フックにおいて、前記掛止フックは愛玩動物を繋留するための繋留用掛止フックであって、前記生物又はキャラクターは犬であり、被掛止物は犬のリードであることを特徴とする。
【００１７】
請求項４に記載の掛止フックにあっては、前記掛止フックを犬の頭部を模した装飾体として、前記掛止フックを愛玩犬を繋留するために使用する場合は、愛玩犬の掛止用であるという表示力を高めることができる。
【発明の効果】
【００１８】
請求項１に記載の掛止フックに依れば、被掛止物を掛止する掛止フック部と、前記掛止フック部の上方に設けられ回転して前記掛止フック部を閉塞する回転閉塞体とを備え、前記掛止フック部を、下顎と上顎とを有する生物又はキャラクターの下顎を模して形成すると共に、前記回転閉塞体を前記上顎を含む生物又はキャラクターの頭部を模して形成し、前記下顎と前記上顎との開閉口動作を前記掛止フック部と前記回転閉塞体の開閉動作に模して形成しているので、前記掛止フック自体に立体的な物又はキャラクターの頭部の装飾が施され、かつ、その物又はキャラクターの頭部の上顎と下顎を開閉して物を噛み合うという動作と、前記掛止フックの開閉動作が一体的となり、興趣性が高く、表示力の高いものとなる。
【００１９】
請求項２に記載の掛止に依れば、請求項１に記載の掛止フックにおいて、前記掛止フック部の先端を上方に湾曲させ形成される被掛止物の抜止部と、前記抜止部の後方近傍に前記掛止フック部の両側から内方に向けて凹まして設けられる被掛止物を保持する保持部を設けているので、前記保持部の凹みに被掛止物が入り込むと共に、前記抜止部により、被掛止物が前方に抜けることがなく、被掛止物が前方に引っ張られても、水平移動が阻止される。また、被掛止物は前記掛止フック部の両側に入り込んで保持されているので、前記掛止フックの閉鎖状態においても、前記被掛止物が前記回転閉塞体と抵触することなく、上顎と下顎とが噛み合うような状態で、前記回転閉塞体が前記掛止フック部を覆うように閉鎖でき、被掛止物を確実に保持することができる。
【００２０】
請求項３に記載の掛止フックに依れば、 請求項１に記載の掛止フックに加えて、壁面又はポール等の掛止対象部材に固定するための取付部を備えているので、前記掛止フックを壁面又はポールと等に容易に取り付けることができる。
【００２１】
請求項４に記載の掛止フックに依れば、請求項１又は２に記載の掛止フックに加えて、前記掛止フックは愛玩動物を繋留するための繋留用掛止フックであって、前記生物又はキャラクターは犬であり、被掛止物は犬のリードであるので、愛玩犬の掛止用であるという表示力を高めることができる。
【図面の簡単な説明】
【００２２】
【図１】本発明に係る掛止フックを示す正面図である。
【図２】同側面図である。
【図３】掛止フック本体を示す斜視図である。
【図４】回転閉塞体を示す斜視図である。
【図５】回転閉塞体を示す側面図である。
【図６】開口してリードを掛止フック部に掛けた状態を示す斜視図である。
【図７】閉口してリードを掛け留めた状態を示す斜視図である。
【発明を実施するための形態】
【００２３】
以下、本発明を実施するための最良の形態を図面に基づいて具体的に説明する。
【００２４】
図１は本発明に係る掛止フックを示す正面図であり、図２は同側面図である。また、図３は掛止フックの掛止フック本体を示す斜視図であり、図４は掛止フックの回転閉塞体を示す斜視図であり、図５は同回転閉塞体を示す側面図である。
【００２５】
図１及び図２において、１０は本発明に係る掛止フックであり、前記掛止フック１０は、ステンレス等の金属材料によって略Ｌ字状となるように形成される掛止フック本体２０と、前記掛止フック本体２０に回動自在に軸支され、後述する掛止フック部２２を閉塞する回転閉塞体３０を備えている。
【００２６】
前記掛止フック本体２０は、壁面やポール等に取り付ける長方形板状体の取付部２１とその下端から水平方向に延設する掛止フック部２２とで略Ｌ字状となるように形成され、前記掛止フック部２２の先端を上方に湾曲させて抜止部２３を形成すると共に、前記抜止部２３の後方近傍には、板状体の両側から内方に向けて凹みを設けて被掛止物を保持する保持部２４を形成している。
【００２７】
そして、前記掛止フック部２２の基部から垂直に方向前記掛止フック本体２０を壁面やポール等に取り付けるための取付部２１を延設しており。前記取付部２１には取付用のボルト孔２５を上下方向に２カ所穿設している。さらに、前記掛止フック部２１の基部と前記保持部２４との間に、前記回転閉塞体３０を軸支するため、ネジ孔２７，２７を螺設した軸受部２６，２６を前記掛止フック部２２の幅方向において対面するように立設させている。そして、以上のように形成される前記掛止フック部２２は犬の下顎を模した形状に形成しているのである。
【００２８】
一方、前記回転閉塞体３０は、例えば、ステンレス等の金属材料によって、内部を空洞とし、全体として犬の頭部を模した形状に成型される。そして、回転閉塞体３０の奥方向の下部（犬の顎に該当する箇所）にボルトＢを遊挿する挿通孔３１，３１を前記軸受部２６，２６と符合する位置に開設し、外方より前記ボルトＢを挿通し前記ネジ孔２７に螺入して固定し、前記掛止フック本体２０に対して回動自在に軸支している。
【００２９】
図６は開口してリードを掛止フック部に掛けた状態を示す斜視図であり、図７は閉口してリードを掛け留めた状態を示す斜視図である。
【００３０】
本発明に係る掛止フック１０は、以上のような構成からなるため、通常は、図１に示すように、前記回転閉塞体３０の自重により、開口部を閉塞した状態としている。そして、例えば、愛玩動物用リードＤＬ（以下「リードＤＬ」という。）を繋留する場合には、図６に示すように、まず、前記回転閉塞体３０を、上方に持ち上げ、開口状態として、前記掛止フック部２２に前記リードＤＬを掛け回すのである。
【００３１】
かかる状態において、前記掛止フック部２２の前記保持部２４の凹みに前記リードＤＬが入り込んでいると共に、前記抜止部２３により、前記リードＤＬが前方に抜けることがなく、愛玩犬の動きにより前記リードＤＬが前方に引っ張られても、前記リードＤＬは前記掛止フック部２２において水平移動が阻止される。また、前記リードＤＬは前記掛止フック部２２の幅方向に入り込んで前記保持部２４に保持されているので、図７に示すように、開口部が閉鎖した状態においても、前記リードＤが前記回転閉塞体３０と抵触することなく、上顎と下顎とが噛み合うような状態で、前記回転閉塞体３０が前記掛止フック部２２を覆うように閉鎖でき、前記リードＤを確実に保持することができる。
【００３２】
本発明に係る掛止フック１０は以上の構成からなるなるので、前記掛止フック１０自体に立体的な犬の頭部の装飾が施され、かつ、その犬の頭部の上顎と下顎を開閉して物を噛み合うという動作と、前記掛止フック１０の開閉動作が一体的となり、興趣性が高く、表示力の高いものとなる。
【００３３】
そして、前記掛止フック１０を、愛玩犬を繋留するために使用する愛玩動物用リードを掛止するために使用する場合は、愛玩犬の掛止用であるという表示力を高めることもできることとなる。
【００３４】
なお、本発明に係る掛止フック１０に施される装飾の対象の生物には、鯨等の海洋生物はもちろん、現在は絶滅した、例えば、恐竜のようなものも含む。また、キャラクターについても、下顎と上顎とがあるキャラクターであれば良く、例えば、ロボットのようなキャラクターも含む。
【００３５】
さらに、本実施態様に示す掛止フック１０は、愛玩犬を繋留するために使用する前記リードＤＬを掛止するための掛止フック１０であるが、被掛止物はこれに限定されず、バッグ等の手回り品のような生活用品であっても良い。
【符号の説明】
【００３６】
１０    繋留用掛止フック金具
２０    掛止フック本体
２１    取付部
２２    掛止フック部
２３    抜止部
２４    軸受部
２５    ボルト孔
２６    軸受部
２７    ネジ孔
３０    回転閉塞体
３１    挿通孔
Ｂ      ボルト
ＤＬ    愛玩動物用リード
【図１】
2020085114.tif 000003
【図２】
2020085114.tif 000004
【図３】
2020085114.tif 000005
【図４】
2020085114.tif 000006
【図５】
2020085114.tif 000007
【図６】
2020085114.tif 000008
【図７】
2020085114.tif 000009
【手続補正書】
【提出日】令和1年8月5日(2019.8.5)
【手続補正１】
【補正対象書類名】特許請求の範囲
【補正対象項目名】全文
【補正方法】変更
【補正の内容】
【特許請求の範囲】
【請求項１】
水平方向に延設する下顎を模し、被掛止物を掛止する掛止フック部と、前記掛止フック部に対して略Ｌ字状となるように形成される壁面又はポール等への取付部を備える掛止フック本体と、前記掛止フック部の上方に設けられ回転して前記掛止フック部を閉塞する回転閉塞体とを備え、
前記掛止フック部を、下顎と上顎とを有する生物又はキャラクターの下顎を模して形成すると共に、前記回転閉塞体を前記上顎を含む生物又はキャラクターの頭部を模して形成し、前記下顎と前記上顎との開閉口動作を前記掛止フック部と前記回転閉塞体の開閉動作に模して形成してなり、
前記下顎と前記上顎との開閉口動作は上下方向において行われてなることを特徴とする掛止フック。
【請求項２】
前記掛止フック部の先端を上方に湾曲させ形成される被掛止物の抜止部と、前記抜止部の後方近傍に前記掛止フック部の両側から内方に向けて凹まして設けられる被掛止物を保持する保持部を設けてなることを特徴とする請求項１に記載の掛止フック。
【請求項３】
前記回転閉塞体は、金属材料によって形成され、前記回転閉塞体の自重によって、開口部を閉塞してなることを特徴とする請求項１又は請求項２に記載の掛止フック。
【請求項４】
前記掛止フックは愛玩動物を繋留するための繋留用掛止フックであって、前記生物又はキャラクターは犬であり、被掛止物は犬のリードであることを特徴とする請求項１乃至請求項３の何れか一に記載の掛止フック。
【手続補正２】
【補正対象書類名】明細書
【補正対象項目名】００１０
【補正方法】変更
【補正の内容】
【００１０】
請求項１に記載の掛止フックは、水平方向に延設する下顎を模し、被掛止物を掛止する掛止フック部と、前記掛止フック部に対して略Ｌ字状となるように形成される壁面又はポール等への取付部を備える掛止フック本体と、前記掛止フック部の上方に設けられ回転して前記掛止フック部を閉塞する回転閉塞体とを備え、前記掛止フック部を、下顎と上顎とを有する生物又はキャラクターの下顎を模して形成すると共に、前記回転閉塞体を前記上顎を含む生物又はキャラクターの頭部を模して形成し、前記下顎と前記上顎との開閉口動作を前記掛止フック部と前記回転閉塞体の開閉動作に模して形成してなり、前記下顎と前記上顎との開閉口動作は上下方向において行われてなることを特徴とする。
【手続補正３】
【補正対象書類名】明細書
【補正対象項目名】００１４
【補正方法】変更
【補正の内容】
【００１４】
請求項３に記載の掛止フックは、請求項１又は請求項２に記載の掛止フックにおいて前記回転閉塞体は、金属材料によって形成され、前記回転閉塞体の自重によって、開口部を閉塞してなることを特徴とする。
【手続補正４】
【補正対象書類名】明細書
【補正対象項目名】００１８
【補正方法】変更
【補正の内容】
【００１８】
請求項１に記載の掛止フックに依れば、水平方向に延設する下顎を模し、被掛止物を掛止する掛止フック部と、前記掛止フック部に対して略Ｌ字状となるように形成される壁面又はポール等への取付部を備える掛止フック本体と、前記掛止フック部の上方に設けられ回転して前記掛止フック部を閉塞する回転閉塞体とを備え、前記掛止フック部を、下顎と上顎とを有する生物又はキャラクターの下顎を模して形成すると共に、前記回転閉塞体を前記上顎を含む生物又はキャラクターの頭部を模して形成し、前記下顎と前記上顎との開閉口動作を前記掛止フック部と前記回転閉塞体の開閉動作に模して形成してなり、前記下顎と前記上顎との開閉口動作は上下方向において行われるので、前記掛止フック自体に立体的な物又はキャラクターの頭部の装飾が施され、かつ、その物又はキャラクターの頭部の上顎と下顎を開閉して物を噛み合うという動作と、前記掛止フックの開閉動作が一体的となり、興趣性が高く、表示力の高いものとなる。
【手続補正５】
【補正対象書類名】明細書
【補正対象項目名】００２０
【補正方法】変更
【補正の内容】
【００２０】
請求項３に記載の掛止フックに依れば、 請求項１又は請求項２に記載の掛止フックにおいて前記回転閉塞体は、金属材料によって形成され、前記回転閉塞体の自重によって、開口部を閉塞しているので、前記掛止フックを壁面又はポールと等に容易に取り付けることができる。